(57)【要約】【課題】  演奏時間の経過や演奏回数の増加に応じて悪化するカラオケルーム内の空気環境について、利用者やサービス担当員の手を煩わすことなく、芳香作用、消臭作用、殺菌作用等を有する空気清浄剤を自動的に噴霧して、快適なカラオケ環境を実現する。【解決手段】  空気清浄剤を噴霧する噴霧装置２７と、カラオケ楽曲の演奏時間又は演奏回数を計測する計測手段３９と、計測手段３９における計測値が予め定めた基準値を超えた場合に、所定タイミングにて、噴霧装置２７を作動させる噴霧制御手段２７ａと、を備える。噴霧装置２７が噴霧を行う所定タイミングは、楽曲の演奏が行われなくなってから所定時間経過後や、人体検知手段２８が人体を検知しなくなってから所定時間経過後とすることができる。【選択図】  図１
2011247552.tif 000002
【特許請求の範囲】
【請求項１】
カラオケ演奏装置が設置されたカラオケルーム内に、芳香作用、消臭作用、殺菌作用等を有する空気清浄剤を噴霧するためのシステムであって、
空気清浄剤を噴霧する噴霧装置と、
カラオケ楽曲の演奏時間又は演奏回数を計測する計測手段と、
前記計測手段における計測値が予め定めた基準値を超えた場合に、所定タイミングにて、前記噴霧装置を作動させる噴霧制御手段と、を備えた、
ことを特徴とするカラオケルーム空気清浄システム。
【請求項２】
前記噴霧装置が噴霧を行う所定タイミングは、楽曲の演奏が行われなくなってから所定時間経過後である、
ことを特徴とする請求項１に記載のカラオケルーム空気清浄システム。
【請求項３】
人体を検知する人体検知手段を備え、
前記噴霧装置が噴霧を行う所定タイミングは、前記人体検知手段が人体を検知しなくなってから所定時間経過後である、
ことを特徴とする請求項１に記載のカラオケルーム空気清浄システム。
【発明の詳細な説明】
【技術分野】
【０００１】
本発明は、カラオケルーム内の空気清浄を行うために、芳香作用、消臭作用、殺菌作用等を有する空気清浄剤を所定のタイミングで噴霧することが可能なカラオケルーム空気清浄システムに関するものである。
【背景技術】
【０００２】
一般的なカラオケルームは、狭い空間内でカラオケ歌唱を楽しみながら、飲食や飲酒、あるいは喫煙を行うことが多く、種々の臭いが室内にこもることがある。このため、カラオケ事業者のサービス担当員は、各カラオケルームの利用が終了し、利用者が入れ替わる際に消臭剤や芳香剤等の噴霧スプレーを用いて、室内の空気清浄を行っていた。
【０００３】
しかし、カラオケルームの利用が長時間に及ぶ場合には、利用者自らが発した臭いであっても不快感を覚えることがある。通常の場合、サービス担当者は、カラオケルームの利用者が入れ替わる際に空気清浄剤の噴霧を行うため、利用者が入れ替わらない場合には対応することができない。この場合、利用者自らに空気清浄剤の噴霧を依頼してもよいが、サービスの低下に繋がりかねず、好ましい対応とは言えない。さらに、サービス担当者の数が不十分であったり、サービス担当者が他の作業に専念したりしている場合には、利用者が入れ替わる毎に空気清浄剤を噴霧できないこともあり、快適にカラオケを楽しむことができないことになる。
【０００４】
従来、カラオケルーム等において、芳香剤や消臭剤等を自動的に噴霧するための技術が種々開発されている（例えば、特許文献１参照）。この特許文献１に記載された技術は、カラオケルーム等の設置空間に自動噴霧装置を設置し、赤外線センサ等の人体検知センサにより人の入室及び退室を監視し、入室者が退室した後に、自動噴霧装置を作動させて設置空間内に、芳香剤や消臭剤等を自動的に噴霧するようになっている。
【先行技術文献】
【特許文献】
【０００５】
【特許文献１】特開２０００−７０７９７号公報
【発明の概要】
【発明が解決しようとする課題】
【０００６】
しかし、上述した特許文献１に記載された技術では、カラオケルーム等の設置空間に入室した人間が、当該設置空間から退出したことを検知して自動噴霧装置を作動させ、芳香剤や消臭剤等の空気清浄剤を自動的に噴霧するため、サービス担当者が入退室した際にも空気清浄剤の噴霧が行われてしまう。すなわち、特許文献１に記載された技術では、カラオケルームへ入退室する人間を区別することができず、カラオケルームが利用されていないにもかかわらず、装置の点検等のためにサービス担当者が入退室した場合であっても自動噴霧装置が作動してしまい、無駄な噴霧が行われることになる。特に、カラオケルームでは、自然時間の経過により室内に臭いがこもるのではなく、利用時間の経過に伴い徐々に室内に臭いがこもる傾向にある。換言すれば、実際の演奏時間に比例して室内に臭いがこもり、空気清浄剤の噴霧が必要な状態となる。
【０００７】
また、上述したように、カラオケルームの利用が長時間に及ぶ場合には、利用者自らが発した臭いであっても不快感を覚えることがあり、この場合には、カラオケルームの利用中に空気清浄剤を噴霧する必要がある。この際、利用者の手を煩わせることなく、自動的に空気清浄剤の噴霧を行うことが好ましい。
【０００８】
また、楽曲の歌唱中に空気清浄剤が噴霧されたのでは、歌唱に集中することができずにカラオケの楽しさを十分に味わうことができないことがあるため、楽曲の演奏が中断している間に、空気清浄剤の噴霧を行うことが好ましい。さらに、空気清浄剤の噴霧自体が気になる利用者もいるため、カラオケルーム内に利用者が存在する状態で空気清浄剤を噴霧することが好ましくない場合もある。
【０００９】
本発明は、上述した事情に鑑み提案されたもので、演奏時間の経過や演奏回数の増加に応じて悪化するカラオケルーム内の空気環境について、利用者やサービス担当員の手を煩わすことなく、芳香作用、消臭作用、殺菌作用等を有する空気清浄剤を自動的に噴霧して、快適なカラオケ環境を実現することが可能な、カラオケルーム空気清浄システムを提供することを目的とする。
【課題を解決するための手段】
【００１０】
本発明のカラオケルーム空気清浄システムは、上述した目的を達成するため、以下の特徴点を有している。すなわち、本発明のカラオケルーム空気清浄システムは、カラオケ演奏装置が設置されたカラオケルーム内に、芳香作用、消臭作用、殺菌作用等を有する空気清浄剤を噴霧するためのシステムであって、空気清浄剤を噴霧する噴霧装置と、カラオケ楽曲の演奏時間又は演奏回数を計測する計測手段と、計測手段における計測値が予め定めた基準値を超えた場合に、所定タイミングにて、噴霧装置を作動させる噴霧制御手段と、を備えたことを特徴とするものである。
【００１１】
ここで、噴霧装置を作動させる所定タイミングは、楽曲の演奏が行われなくなってから所定時間経過後とすることが可能である。また、人体を検知する人体検知手段を備えた構成とし、噴霧装置が噴霧を行う所定タイミングは、人体検知手段が人体を検知しなくなってから所定時間経過後とすることが可能である。
【００１２】
このような構成からなるカラオケルーム空気清浄システムでは、計測手段の機能により、カラオケ楽曲の演奏時間又は演奏回数を計測する。そして、カラオケ楽曲の演奏時間が所定時間に達し、あるいはカラオケ楽曲の演奏回数が所定回数に達すると、噴霧制御手段の機能により、所定のタイミングで噴霧装置を作動させて、カラオケルーム内に空気清浄剤を噴霧する。すなわち、カラオケ楽曲の演奏時間が所定時間に達したこと、あるいはカラオケ楽曲の演奏回数が所定回数に達したことが噴霧装置の作動条件となり、直ちに噴霧装置を作動させて空気清浄剤を噴霧してもよいし、楽曲の演奏が行われなくなってから所定時間経過後、あるいは人体検知手段が人体を検知しなくなってから所定時間経過後に、噴霧装置を作動させて空気清浄剤を噴霧してもよい。
【発明の効果】
【００１３】
本発明のカラオケルーム空気清浄システムによれば、カラオケ楽曲の演奏時間が所定時間に達し、あるいはカラオケ楽曲の演奏回数が所定回数に達したことを条件として、所定のタイミングで噴霧装置を作動させ、カラオケルーム内に芳香作用、消臭作用、殺菌作用等を有する空気清浄剤を噴霧することにより、演奏時間の経過や演奏回数の増加に応じて悪化するカラオケルーム内の空気環境について、利用者やサービス担当員の手を煩わすことなく、芳香作用、消臭作用、殺菌作用等を有する空気清浄剤を自動的に噴霧して、快適なカラオケ環境を提供することが可能となる。
【００１４】
また、カラオケ楽曲の演奏時間が所定時間に達し、あるいはカラオケ楽曲の演奏回数が所定回数に達した場合に、直ちに空気清浄剤を噴霧するのではなく、楽曲が演奏されなくなってから所定時間経過後、例えば、任意の楽曲の演奏が終了してから次の楽曲の演奏が開始するまでの時間内に空気清浄剤を噴霧することにより、楽曲の歌唱中に空気清浄剤が噴霧されることがなく、歌唱者は歌唱に集中してカラオケの楽しさを十分に味わうことができる。
【００１５】
また、空気清浄剤の噴射タイミングを、人体検知手段が人体を検知しなくなってから所定時間経過後とすることにより、カラオケルームから利用者が退室した後に空気清浄剤が噴霧されるので、空気清浄剤の噴霧に対する不快感を与えることがない。
【図面の簡単な説明】
【００１６】
【図１】本発明の実施形態に係るカラオケルーム空気清浄システムを適用したカラオケ演奏装置の基本構成を示すブロック図。
【図２】本発明の実施例１に係るカラオケルーム空気清浄システムの主要構成を示すブロック図。
【図３】本発明の実施例２に係るカラオケルーム空気清浄システムの主要構成を示すブロック図。
【図４】本発明の実施例３に係るカラオケルーム空気清浄システムの主要構成を示すブロック図。
【発明を実施するための形態】
【００１７】
以下、図面を参照して、本発明のカラオケルーム空気清浄システム（以下、空気清浄システムという）の実施形態について説明する。図１は本発明の実施形態に係る空気清浄システムを適用したカラオケ演奏装置の基本構成を示すブロック図である。また、図２は実施例１、図３は実施例２、図４は実施例３に係る空気清浄システムの主要構成を示すブロック図である。
【００１８】
＜空気清浄システムの一般構成＞
本発明の実施形態に係る空気清浄システムは、例えば、個室タイプのカラオケルームが複数設置されたカラオケボックス営業店において利用可能なシステムである。この空気清浄システムは、芳香作用、消臭作用、殺菌作用等を有する空気清浄剤を自動噴霧するための噴霧装置を備えており、カラオケ楽曲の演奏時間が所定時間に達し、あるいはカラオケ楽曲の演奏回数が所定回数に達したことを条件として、所定のタイミングで、カラオケルーム内に空気清浄剤を噴霧する。なお、空気清浄剤とは、エアロゾルとして噴霧可能な芳香剤、消臭剤、除菌剤、殺菌剤等のことであり、芳香作用、消臭作用、殺菌作用等を有していれば、特にその成分を限定するものではない。例えば、悪臭を芳香成分で包み込んでしまう薬剤、悪臭の元となる成分と化学反応を生じさせて無臭成分とする薬剤、抗菌剤のように細菌の繁殖を抑止する薬剤等、種々の成分を含有する空気清浄剤を用いることができる。また、空気清浄剤は、上述したすべての作用を発揮する必要はなく、いずれか一つ以上の作用を発揮するものであればよい。
【００１９】
＜カラオケ演奏装置＞
本発明の実施形態に係る空気清浄システムを適用するカラオケ演奏装置１０は、図１に示すように、カラオケ本体２１、カラオケリモコン装置２２、スピーカ２３、ミキシングアンプ２４、マイクロホン２５、表示装置２６、噴霧装置２７を備えている。さらに、図４に示すように、人体を検知するための人体検知手段２８を備えていてもよい。
【００２０】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂの他に、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。なお、本実施形態においてプログラムとは、ソフトウエア又はこれと同等の機能を発揮する論理回路のことをいう。
【００２１】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２２】
＜マイクロホン＞
マイクロホン２５は、歌唱音声の入力を行うための装置である。マイクロホン２５から入力された歌唱音声信号は、ミキシングアンプ２４により、音楽再生制御手段３７から送出される演奏音声信号とミキシングされると共に増幅され、スピーカ２３へ出力される。
【００２３】
＜カラオケ本体＞
カラオケ本体２１は、中央制御手段３１、ＲＯＭ３２、ＲＡＭ３３、ＨＤＤ３４、送受信手段３５、予約管理手段３６、音楽再生制御手段３７、映像再生制御手段３８、計測手段３９を備えている。
【００２４】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００２５】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。予約待ち行列３３ａは、選曲予約されたカラオケ楽曲について、演奏順に楽曲ＩＤを並べて構成されたデータテーブルであり、選曲者の利用者ＩＤや、他の識別データが紐付けられている場合もある。
【００２６】
＜ＨＤＤ＞
ＨＤＤ３４は、大容量記憶装置として機能するもので、楽曲データベース３４ａ及び映像データベース３４ｂが格納されている。なお、ＨＤＤ３４に替えて、あるいはＨＤＤ３４と共に、データを書き替え可能なＤＶＤ等の大容量記憶装置を用いてもよい。
【００２７】
＜楽曲データベース／映像データベース＞
楽曲データベース３４ａは、演奏データ（ＭＩＤＩ（登録商標）データ）及び歌詞描出データが同期されて構成される楽曲データについて、楽曲ＩＤと対応付けてそれぞれ構成されたデータベースである。演奏データは、各楽曲の演奏データをデジタル化したものであり、歌詞描出データは演奏に同期した歌詞文字の表示タイミングデータ及び色変わりデータを含んでいる。また、演奏データには、発声ガイドの表示を行うためのガイドメロディデータが含まれている。映像データベース３４ｂは、演奏されるカラオケ楽曲に対応した背景映像を、当該カラオケ楽曲の楽曲ＩＤに対応させた映像ファイルとして所定数格納したデータベースである。
【００２８】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００２９】
＜予約管理手段＞
予約管理手段３６は、利用者により楽曲検索手段２２ａの機能を用いて選曲された楽曲ＩＤを演奏順に並べて予約待ち行列３３ａを生成し、この予約待ち行列３３ａをＲＡＭ３３に格納して管理するためのプログラムからなる。
【００３０】
＜音楽再生制御手段＞
音楽再生制御手段３７は、楽曲ＩＤに基づいて楽曲データベース３４ａから抽出された演奏データをデジタル再生すると共にアナログ変換してミキシングアンプ２４に出力するための電子回路である。上述したように、ミキシングアンプ２４は、マイクロホン２５から入力された歌唱者の歌唱音声信号と、音楽再生制御手段３７から送出される演奏音声信号とをミキシングすると共に、アンプ機能により増幅してスピーカ２３より出力させるための装置である。
【００３１】
＜映像再生制御手段＞
映像再生制御手段３８は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させて表示装置２６に出力するためのプログラムからな。
【００３２】
＜表示装置＞
表示装置２６は、カラオケ楽曲に関連した背景映像や歌詞テロップ等を表示するための装置で、例えば、液晶ディスプレイ等により構成される。
【００３３】
＜計測手段＞
計測手段３９は、カラオケ楽曲の演奏時間又は演奏回数を計測するためのプログラム及び電子回路からなり、計測結果である計測値データ３９ａを記憶するための記憶領域を有している。カラオケ楽曲の演奏時間を計測して計測値データ３９ａを取得するには、例えば、音楽再生制御手段３７により任意の楽曲の演奏データの再生が開始されてから、当該楽曲の演奏データの再生が終了するまでの時間を計測して積算すればよい。また、カラオケ楽曲の演奏回数を計測して計測値データ３９ａを取得するには、音楽再生制御手段３７により任意の楽曲の演奏データを再生した回数を積算すればよい。他の方法としては、予約待ち行列３３ａに格納された楽曲が再生される毎に、当該楽曲の演奏データに含まれる演奏時間を積算し、あるいは演奏回数を積算するカウンタをカウントアップすればよい。
【００３４】
＜噴霧装置＞
噴霧装置２７は、噴霧制御手段２７ａの制御により、空気清浄剤を噴霧するための装置であり、空気清浄剤を噴霧することができれば、公知となっている種々の装置を用いることができる。例えば、図示しないが、空気清浄剤貯留室、噴霧ポンプ、噴霧ポンプを作動させるスイッチ及び電源等を備えた構成とすることができる。また、貯留タンク内に空気清浄剤を貯留すると共に、圧縮空気等を充填し、押圧手段によりノズルを押圧することにより、タンク内に貯留された空気清浄剤を空気と共にノズルから噴射するような構成としてもよい。また、本実施形態の噴霧装置２７は、噴霧制御を行う基準値を設定するための基準値設定手段２７ｃを備えている。さらに、図３及び図４に示すように、噴霧装置２７の構成要素として、時間設定手段２７ｅを有するタイマ２７ｄを含ませることが可能である。
【００３５】
＜基準値設定手段＞
基準値設定手段２７ｃは、噴霧装置２７に組み込まれた手段であり、例えば、ディップスイッチ等により構成される。この基準値設定手段２７ｃの機能により、噴霧制御手段２７ａにおいて噴霧装置２７を作動させるための基準値データ２７ｂが設定され、噴霧制御手段２７ａの記憶領域に記憶される。この基準値データ２７ｂは、噴霧制御手段２７ａにおける計測値データ３９ａとの比較処理で使用される。なお、基準値は、カラオケ演奏装置１０を設置したカラオケルームの利用状況に応じて、適宜変更して設定することができ、例えば、カラオケ楽曲の演奏時間であれば１時間、カラオケ楽曲の演奏回数であれば２０回等が基準値となる。
【００３６】
＜噴霧制御手段＞
噴霧制御手段２７ａは、噴霧装置２７に組み込まれた機能手段であり、計測手段３９における計測値が予め定めた基準値を超えた場合に、所定タイミングにて、噴霧装置２７を作動させるためのプログラム及び電子回路からなる。ここで、噴霧装置２７を作動させる所定タイミングとは、選曲予約された楽曲のすべてについて演奏が終了してから所定時間経過後とすることが可能である（図３参照）。また、人体を検知する人体検知手段２８を備えた構成とし、噴霧装置２７を作動させる所定タイミングは、人体検知手段２８が人体を検知しなくなってから所定時間経過後とすることが可能である（図４参照）。なお、噴霧制御手段２７ａを噴霧装置２７に組み込むのではなく、噴霧装置２７とは別個の装置として構成してもよい。
【００３７】
＜噴霧制御／実施例１＞
実施例１の噴霧制御は、本発明に係る空気清浄システムにおける基本的な噴霧制御であり、カラオケ楽曲の演奏時間又は演奏回数を計測して、計測値が予め定めた基準値を超えた場合に、噴霧装置２７を作動させる制御を行う。すなわち、図２に示すように、楽曲が演奏される毎に、計測手段３９により当該楽曲の演奏時間又は演奏回数を計測して積算し、計測値データ３９ａを取得する。また、噴霧装置２７では、基準値設定手段２７ｃの機能により基準値が設定され、噴霧制御手段２７ａにおいて基準値データ２７ｂとして記憶される。そして、噴霧制御手段２７ａの機能により、計測値データ３９ａと基準値データ２７ｂとを比較し、計測値が予め定めた基準値に達すると、噴霧装置２７に駆動信号を送信する。
【００３８】
この基準値は、例えば、演奏時間の場合には合計１時間とし、演奏回数の場合には合計２０回とすることができる。噴霧装置２７では、噴霧制御手段２７ａからの駆動信号を受信すると、空気清浄剤を所定時間（例えば３秒間）噴霧する。なお、上述したように、基準値は、カラオケ演奏装置１０を設置したカラオケルームの利用状況に応じて、最適な値が設定される。また、計測値が基準値に達した場合に、噴霧装置２７に設けた発光ダイオードを点滅させたり、表示装置２６の表示画面にその旨の表示を行ったりして、噴霧装置２７が作動する旨を報知してもよい。
【００３９】
＜噴霧制御／実施例２＞
実施例２の噴霧制御は、実施例１の基本的な噴霧制御に加えて、楽曲の演奏が行われなくなってから所定時間経過後に、噴霧装置２７を作動させる制御を行う。すなわち、実施例２では、図３に示すように、実施例１の構成要素に加えて、噴霧装置２７の構成要素としてタイマ２７ｄを含んでいる。さらに、タイマ２７ｄは、タイムアップする時間を設定するための時間設定手段２７ｅを含んでいる。
【００４０】
実施例２では、上述した実施例１と同様にして、計測手段３９における計測値が予め定めた基準値に達すると、噴霧装置２７の作動条件が整う。さらに、任意の楽曲の演奏が終了して音楽再生制御手段３７から演奏信号を受信しなくなると、タイマ２７ｄが計時を開始し、次の楽曲の演奏が開始するまでに、時間設定手段２７ｅで設定された所定時間（例えば３分間）が経過して、タイマ２７ｄがタイムアップすると、噴霧制御手段２７ａの機能により、噴霧装置２７に駆動信号を送信する。そして、噴霧装置２７が駆動信号を受信すると、空気清浄剤の噴霧を行う。なお、タイマ２７ｄがタイムアップする以前に次の楽曲の演奏が開始され、音楽再生制御手段３７から演奏信号を受信すると、タイマ２７ｄのカウント値がリセットされる。
【００４１】
このように、実施例２では、計測手段３９における計測値が予め定めた基準値に達して噴霧装置２７の作動条件が整った場合であっても、楽曲の演奏が継続している場合には、空気清浄剤の噴霧は行われない。なお、上述したように、噴霧装置２７を作動させる際にその旨の報知を行ってもよい。
【００４２】
＜噴霧制御／実施例３＞
実施例３の噴霧制御は、実施例１の基本的な噴霧制御に加えて、人体検知手段２８が人体を検知しなくなってから所定時間経過後に、噴霧装置２７を作動させる制御を行う。すなわち、実施例３では、図４に示すように、実施例１の構成要素に加えて、噴霧装置２７の構成要素としてタイマ２７ｄを含むと共に、人体検知手段２８を備えている。また、実施例２と同様に、タイマ２７ｄは、タイムアップする時間を設定するための時間設定手段２７ｅを含んでいる。
【００４３】
実施例３で用いる人体検知手段２８とは、例えば、焦電型赤外線センサからなり、人体が発生する赤外線を検知して、カラオケルーム内に利用者が存在するか否かを検知する。なお、一般的な焦電型赤外線センサは、付属するレンズにより検知角度が規定されるため、カラオケルームの広さ等に応じて検知角度を設定したり、カラオケルーム内で検知角度が重複するように複数の赤外線センサを設置したりすることが好ましい。また、人体を検知するためのセンサは、焦電型赤外線センサに限られず、赤外線ビームを発射し、その赤外線ビームを反射したり遮ったりした物体を検出するアクティブセンサであってもよいし、その他、公知の技術を用いたセンサであってもよい。
【００４４】
実施例３では、上述した実施例１と同様にして、計測手段３９における計測値が予め定めた基準値に達すると、噴霧装置２７の作動条件が整う。さらに、人体検知手段２８による人体検知を行い、カラオケルームからすべての利用者が退室し、人体検知手段２８からの人体検知信号を受信しなくなると、タイマ２７ｄが計時を開始し、時間設定手段２７ｅで設定された所定時間（例えば３分間）が経過して、タイマ２７ｄがタイムアップすると、噴霧制御手段２７ａの機能により、噴霧装置２７に駆動信号を送信する。そして、噴霧装置２７が駆動信号を受信すると、空気清浄剤の噴霧を行う。なお、タイマ２７ｄがタイムアップする以前にカラオケルーム内に利用者等が入室し、人体検知手段２８からの人体検知信号を受信すると、タイマ２７ｄのカウント値がリセットされる。
【００４５】
このように、実施例３では、計測手段３９における計測値が予め定めた基準値に達して噴霧装置２７の作動条件が整った場合であっても、カラオケルームから利用者が退室して、人体検知手段２８により人体が検知されなくなってから所定時間が経過するまでは、空気清浄剤の噴霧は行われない。なお、上述したように、噴霧装置２７を作動させる際にその旨の報知を行ってもよい。
【００４６】
＜他の実施形態＞
本発明のカラオケルーム空気清浄システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００４７】
１０  カラオケ演奏装置
２１  カラオケ本体
２２  カラオケリモコン装置
２２ａ  楽曲検索手段
２２ｂ  楽曲索引データベース
２３  スピーカ
２４  ミキシングアンプ
２５  マイクロホン
２６  表示装置
２７  噴霧装置
２７ａ  噴霧制御手段
２７ｂ  基準値データ
２７ｃ  基準値設定手段
２７ｄ  タイマ
２７ｅ  時間設定手段
２８  人体検知手段
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  予約管理手段
３７  音楽再生制御手段
３８  映像再生制御手段
３９  計測手段
３９ａ  計測値データ
【図１】
2011247552.tif 000003
【図２】
2011247552.tif 000004
【図３】
2011247552.tif 000005
【図４】
2011247552.tif 000006